(57)【要約】【課題】自装置で選局されているチャンネルを他の放送受信装置で選局し再生させる場合、使用者によるチャンネルの確認やチャンネル情報の送信なしに、直感的で、素早く同一番組を視聴可能にする放送受信装置を提供する。【解決手段】放送受信装置の一例である放送受信用携帯端末装置１００は、端末接近検知部１１２などの他の端末の見地手段を備えており、協調制御部１１７は他の端末の接近を検知した場合、チャンネル情報や映像出力に関する設定、音声出力に関する設定等を端末間で端末間通信処理部１１１により通信を行い、複数端末間で瞬間的に出力設定を行う。【選択図】図１
2009278239.tif 000002
【特許請求の範囲】
【請求項１】
放送データを受信する受信手段と、
受信した放送データを再生する再生手段と、
他の装置の接近を検知する端末接近検知手段と、
選局されているチャンネル情報または再生に関する設定情報を前記他の装置と送受信する通信手段と、
を有し、
前記再生手段は、受信した前記チャンネル情報または前記設定情報に基づき、放送データの再生を行う
放送受信装置。
【請求項２】
請求項１に記載の放送受信装置であって、更に、
当該放送受信装置の直近の移動距離を測定する移動量検知手段と、
所定の解析処理を行う解析手段と
を有し、
前記通信手段は、前記直近の移動距離を前記他の装置と送受信し、
前記解析手段は、当該放送受信装置および前記他の装置の移動距離に基づき、前記チャンネル情報または前記設定情報を送信するか、または、受信するかを判断する
放送受信装置。
【請求項３】
請求項１に記載の放送受信装置であって、更に、
当該放送受信装置と前記他の装置の間の相対位置を測定する端末間相対位置検知手段と、
前記相対位置に基づき、前記チャンネル情報または前記設定情報を送信するか、または、受信するかを判断する解析手段と
を有する放送受信装置。
【請求項４】
請求項１に記載の放送受信装置であって、更に、
当該放送受信装置の視聴履歴を取得する視聴履歴取得手段と、
所定の解析処理を行う解析手段と
を有し、
前記通信手段は、前記視聴履歴を前記他の装置と送受信し、
前記解析手段は、当該放送受信装置および前記他の装置の視聴履歴に基づき、前記チャンネル情報または前記設定情報を送信するか、または、受信するかを判断する
放送受信装置。
【請求項５】
請求項１に記載の放送受信装置であって、更に、
再生されている放送データに関連する番組情報を取得する番組情報取得手段と、
所定の解析処理を行う解析手段と
を有し、
前記通信手段は、前記番組情報を前記他の装置と送受信し、
前記解析手段は、当該放送受信装置および前記他の装置の番組情報に基づき、前記チャンネル情報または前記設定情報を送信するか、または、受信するかを判断する
放送受信装置。
【請求項６】
請求項１に記載の放送受信装置であって、
前記通信手段は、前記受信手段により放送データを受信していない場合、前記チャンネル情報または前記設定情報を受信する
放送受信装置。
【請求項７】
請求項１に記載の放送受信装置であって、更に、
選局されている前記チャンネル情報または前記設定情報を記憶する記録手段を有し、
前記再生手段は、受信した前記チャンネル情報または前記設定情報に基づき、放送データの再生状態を変更し、当該放送受信装置と前記他の装置との距離が離れた場合、前記記録手段に記憶されている前記チャンネル情報または前記設定情報に基づいて、変更前の再生状態を復元する
放送受信装置。
【発明の詳細な説明】
【技術分野】
【０００１】
本発明は、放送受信装置に関し、特に、無線信号の放送波を受信して放送波に含まれる番組コンテンツを再生する機能を備えた放送受信装置における、複数台の端末での受信チャンネルの選局動作に関する発明である。
【背景技術】
【０００２】
携帯端末で他人が視聴している番組を自分も視聴する場合、手動によるチャンネル操作で行うがその際、視聴中のチャンネルがわからない場合など、チャンネルの確認を行う必要があった。これに対して、電子メールにチャンネル切替えコマンドを含めて送信し、ユーザがチャンネル切替えコマンドを選択することで視聴中のチャンネル情報を意識することなく、同一番組を視聴する方法が提案されている（例えば、特許文献１参照）。
【０００３】
【特許文献１】特開２００７−１４２７６２号公報
【発明の開示】
【発明が解決しようとする課題】
【０００４】
しかしながら、従来の構成では、チャンネル切替えコマンドを含む電子メールを作成、受信、選択するのに手間と時間を要してしまい、すぐに視聴したいチャンネルで放送されている番組を視聴することができず、みたいシーンを見逃すことがあった。
【０００５】
本発明は、上記事情に鑑みてなされたもので、直感的に素早く同一番組を視聴可能にする放送受信装置を提供することを目的とする。
【課題を解決するための手段】
【０００６】
本発明の第１の態様は、放送データを受信する受信手段と、受信した放送データを再生する再生手段と、他の装置の接近を検知する端末接近検知手段と、選局されているチャンネル情報または再生に関する設定情報を前記他の装置と送受信する通信手段と、を有し、前記再生手段が、受信した前記チャンネル情報または前記設定情報に基づき、放送データの再生を行う放送受信装置である。
【０００７】
この構成によれば、複数の放送受信用携帯端末装置（放送受信装置の一例であり、これに限られない、以下同様。）が接近した場合、端末接近検知部により放送受信用携帯端末装置の接近が検知され、端末間通信処理部によりチャンネル情報、または再生設定情報の共有が行われ、他の放送受信用携帯端末装置で同一のチャンネルの視聴、または、再生設定が行えるため、使用者が視聴中のチャンネル情報、または再生設定がわからない場合でも、利用者によるチャンネルの確認やチャンネル情報送信などの手間をかけず、直感的で、素早く同一番組を選局する、または再生設定をあわせることができる。
【０００８】
本発明の第２の態様は、当該放送受信装置の直近の移動距離を測定する移動量検知手段と、所定の解析処理を行う解析手段とを有し、前記通信手段が、前記直近の移動距離を前記他の装置と送受信し、前記解析手段が、当該放送受信装置および前記他の装置の移動距離に基づき、前記チャンネル情報または前記設定情報を送信するか、または、受信するかを判断する放送受信装置である。
【０００９】
この構成によれば、端末の直近の移動量に基づき、チャンネル情報や、再生に関する設定情報を送信する側と受信する側を決定するため、放送受信装置を近づけた端末のチャンネル設定や再生設定を変更することができる。
【００１０】
本発明の第３の態様は、当該放送受信装置と前記他の装置の間の相対位置を測定する端末間相対位置検知手段と、前記相対位置に基づき、前記チャンネル情報または前記設定情報を送信するか、または、受信するかを判断する解析手段とを有する放送受信装置である。
【００１１】
この構成によれば、放送受信装置間の相対的な位置関係に基づき、チャンネル情報や、再生に関する設定情報を送信する側と受信する側を決定するため、右側にある放送受信装置や、上にある放送受信端末など、特定の位置にある端末のチャンネル設定や再生設定を変更することができる。
【００１２】
本発明の第４の態様は、当該放送受信装置の視聴履歴を取得する視聴履歴取得手段と、所定の解析処理を行う解析手段とを有し、前記通信手段が、前記視聴履歴を前記他の装置と送受信し、前記解析手段が、当該放送受信装置および前記他の装置の視聴履歴に基づき、前記チャンネル情報または前記設定情報を送信するか、または、受信するかを判断する放送受信装置である。
【００１３】
この構成によれば、放送受信装置の視聴履歴に基づき、チャンネル情報や、再生に関する設定情報を送信する側と受信する側を決定するため、視聴時間が短い放送受信装置や、視聴時間の長い放送受信装置のチャンネル設定や再生設定を変更することができる。
【００１４】
本発明の第５の態様は、再生されている放送データに関連する番組情報を取得する番組情報取得手段と、所定の解析処理を行う解析手段とを有し、前記通信手段が、前記番組情報を前記他の装置と送受信し、当該放送受信装置および前記他の装置の番組情報に基づき、前記解析手段が、前記チャンネル情報または前記設定情報を送信するか、または、受信するかを判断する放送受信装置である。
【００１５】
この構成によれば、放送受信装置の番組情報に基づき、チャンネル情報や、再生に関する設定情報を送信する側と受信する側を決定するため、放送終了時刻の遅い番組を再生している放送受信装置や、スポーツ番組を再生している放送受信装置など特定の番組を再生している端末のチャンネル設定や再生設定に他の端末を合わせることができる。
【００１６】
本発明の第６の態様は、前記通信手段が、前記受信手段により放送データを受信していない場合、前記チャンネル情報または前記設定情報を受信する放送受信装置である。
【００１７】
この構成によれば、放送受信装置の電源が入ってない、または放送受信機能が動作可能な状態にない放送受信装置がチャンネル情報や、再生に関する設定情報を受信する側となるため、すでに視聴を行っている放送受信機のチャンネル情報や、再生に関する設定情報を電源が入ってない、または放送受信機能が動作可能な状態にない放送受信装置に反映することができる。
【００１８】
本発明の第７の態様は、選局されている前記チャンネル情報または前記設定情報を記憶する記録手段を有し、前記再生手段が、受信した前記チャンネル情報または前記設定情報に基づき、放送データの再生状態を変更し、当該放送受信装置と前記他の装置との距離が離れた場合、前記記録手段に記憶されている前記チャンネル情報または前記設定情報に基づいて、変更前の再生状態を復元する放送受信装置である。
【００１９】
この構成によれば、チャンネル情報や、再生に関する設定情報を共有前に、その情報を記録しておき、共有後再び端末が離れた場合、共有前に保存したチャンネル情報や、再生に関する設定情報を読み出し反映するので、チャンネル共有後に放送受信装置を離すだけで元の状態に戻すことができる。
【発明の効果】
【００２０】
本発明によれば、自装置で選局されているチャンネルを他の放送受信装置で選局し再生させる場合、使用者によるチャンネルの確認やチャンネル情報の送信なしに、直感的で、素早く同一番組を視聴可能にすることが可能な放送受信装置を提供できる。
【発明を実施するための最良の形態】
【００２１】
本発明に係る放送受信装置の一例である放送受信用携帯端末装置の実施形態について図１〜図９を参照しながら以下に説明する。
【００２２】
図１は本発明の実施形態における放送受信用携帯端末装置の構成例を示すブロック図である。図２は放送受信用携帯端末装置における端末協調モード時の処理の内容を示すフローチャートである。図３は放送受信用携帯端末装置における共有チャンネル決定処理の内容を示すフローチャートである。図４は放送受信用携帯端末装置における共有元協調処理の内容を示すフローチャートである。図５は放送受信用携帯端末装置における画面出力決定処理の内容を示すフローチャートである。図６は放送受信用携帯端末装置における音声出力決定処理の内容を示すフローチャートである。図７は放送受信用携帯端末装置における共有先協調処理の内容を示すフローチャートである。図８は放送受信用携帯端末装置におけるチャネル共有モード時の処理の内容を示すフローチャートである。図９は放送受信用携帯端末装置における２台での端末協調制御の内容を示す概略図である。図１０は放送受信用携帯端末装置における複数台での端末協調制御の内容を示す概略図である。
【００２３】
（第１の実施形態）
本実施形態では、放送受信用携帯端末装置の例として、地上デジタルテレビや地上デジタルラジオなどのデジタル放送を受信する機能を備えた携帯電話端末に本発明を適用する場合を想定して説明する。勿論、携帯電話端末以外にも、携帯型情報端末（ＰＤＡ）や、携帯可能なパソコンや、車載端末などに本発明を適用することが想定できる。また、デジタル放送以外のアナログ放送、またはインターネットなどを用いたストリーミング放送などを受信する機器にも本発明を適応することが想定できる。
【００２４】
本実施形態の放送受信用携帯端末装置１００は、図１に示すように構成されており、放送用アンテナ１１８と、通信用アンテナ１１９と、入力装置１１０と、スピーカ１０４と、ディスプレイ１０９とを備えている。また、端末接近検知部１１２と、移動量検知部１１３と、端末間相対位置検知部１１４と、端末情報取得部１１５と、設定情報記録部１１６とを備える。さらに、チューナ部１０１と、受信処理部１０２と、音声処理部１０３と、映像処理部１０５と、データ放送処理部１０６と、番組情報表示処理部１０７と、提示処理部１０８と、端末間通信処理部１１１と、協調制御部１１７とを備えている。
【００２５】
チューナ部１０１は、放送用アンテナ１１８を介して、デジタル放送を受信し、デジタル放送の各放送番組の受信信号を復調してチャネル毎に取り出すための受信機である。受信した信号（放送データ）には放送番組の映像データおよび音声データ、番組情報、データ放送用データがデジタルデータとして含まれる。チューナ部１０１は、受信処理部により指示された周波数チャンネルの信号を受信し、復調した放送データを受信処理部１０２に出力する。本明細ではデジタル放送を想定しているので、映像や音声、データ放送、番組情報などの情報が多重化されたＭＰＥＧ２−ＴＳが出力されるものとして説明する。
【００２６】
受信処理部１０２は、所定のチャンネルを選局し再生する制御を行う処理部である。所定のチャンネルは、入力装置１１０により使用者が設定される、または、協調制御部１１７から設定される。入力装置１１０、または協調制御部１１７からは、チャンネルの他に、出力する音声チャンネル、音量、低音強調と言った音響効果設定などの音声出力に関する設定、また、映像表示領域、映像拡大縮小設定、明るさなどの映像効果設定などの映像出力に関する設定、同様にデータ放送出力に関する設定、番組情報表示に関する設定、それぞれのデータの出力タイミングなどの設定が受信処理部１０２に行われる。受信処理部１０２は、入力装置１１０、または協調制御部１１７から指定されたチャンネルに対応する周波数帯を、チューナ部１０１に設定し、多重化された放送データを取得する。
次に、受信処理部１０２は、入力装置１１０、または協調制御部１１７から設定された情報に従って、放送データの多重化を分離し、音声データは音声処理部１０３へ、映像データは映像処理部１０５へ、データ放送のデータはデータ放送処理部１０６へ、番組情報のデータは番組情報表示処理部１０７へ、各種データをそれぞれのデコーダに出力する。また、入力装置１１０、または協調制御部１１７からの各所設定や出力タイミングもそれぞれのデータコーダに設定する。また、提示処理部１０８には、映像、データ放送、番組情報の表示の有無、表示サイズ、表示倍率と表示位置を指定し、ディスプレイに表示する映像データのレイアウトを設定する。また、協調制御部１１７は、視聴チャンネルや設定が変更になる都度、その視聴チャンネル、または設定情報を協調制御部１１７に出力する。
【００２７】
音声処理部１０３は、受信処理部１０２より入力される音声データを復号し、音声信号をスピーカ１０４に出力し、音声の再生を行う。また、受信処理部１０２より入力される音声設定に従い音声の再生設定を変更する。
【００２８】
スピーカ１０４は、音声処理部１０３より入力される音声信号を音声として出力する装置である。
【００２９】
映像処理部１０５は、受信処理部１０２より入力される映像データを復号し、提示処理部１０８を介して、映像信号をディスプレイ１０９に出力し、映像の再生を行う。また、受信処理部１０２より入力される映像設定に従い映像の再生設定を変更する。
【００３０】
データ放送処理部１０６は、受信処理部１０２より入力されるデータ放送データを復号し、提示処理部１０８を介して、映像信号をディスプレイ１０９に出力し、データ放送の再生を行う。また、受信処理部１０２より入力されるデータ放送設定に従いデータ放送の再生設定を変更する。
【００３１】
番組情報表示処理部１０７は、受信処理部１０２より入力される番組情報データを、電子番組表や、番組リストのように端末仕様に合わせ加工し、提示処理部１０８を介して、映像信号をディスプレイ１０９に出力し、番組情報の表示を行う。また、受信処理部１０２より入力される番組情報設定に従い番組情報の表示設定を変更する。
【００３２】
提示処理部１０８は、映像処理部１０５と、データ放送処理部１０６と、番組情報表示処理部１０７から入力される映像信号を、受信処理部１０２より設定される、レイアウト設定に従って、映像、データ放送、番組情報の表示の有無、表示サイズ、表示倍率と表示位置の重ね合わせを行い、１つの映像信号に変換し、ディスプレイ１０９に出力する。
【００３３】
ディスプレイ１０９は、提示処理部１０８より入力される映像信号を表示する装置である。
【００３４】
入力装置１１０は、利用者の入力操作のために放送受信用携帯端末装置１００に設けられている多数の操作キー等のスイッチ等による入力部からの入力を受け付け、その情報を受信処理部１０２、または協調制御部１１７に出力する。
【００３５】
端末間通信処理部１１１は、放送受信用携帯端末装置１００間で通信するための通信処理部であり、協調制御部１１７より入力される、チャンネル共有情報、チャンネル情報、協調情報、協調終了情報、端末情報、端末の移動量、などの情報を相互に送受信し、受信した情報を協調制御部１１７に出力する。具体的な通信方法としては、無線ＬＡＮや携帯電話端末などの無線機基地局を介して通信する方法、Ｂｌｕｅｔｏｏｔｈ、赤外線など、直接、放送受信用携帯端末装置１００間で通信する方法がある。なお、放送受信用携帯端末装置１００間で通信できるものであれば、個々で示した通信方法以外でもよい。
【００３６】
端末接近検知部１１２は、他の放送受信用携帯端末装置１００が接近、または離脱したことを検知するためのセンサであり、所定の範囲内に放送受信用携帯端末装置１００が接近した場合、協調制御部１１７に放送受信用携帯端末１００が接近、または離脱したことを通知する。なお、検出手段は問わないが、放送受信用携帯端末装置１００間の距離がわかる検出手段である場合は併せて端末間距離の情報を協調制御部１１７に出力する。
【００３７】
移動量検知部１１３は、放送受信用携帯端末装置１００の直近の移動量を検知する加速度センサであり、移動を検知した場合その移動量を協調制御部１１７に出力する。同様に直近の端末の移動量を検知できれば他の方法でもよい。
【００３８】
端末間相対位置検知部１１４は、他の放送受信用携帯端末装置１００が上下左右どの位置に、どの方向でどの端末が存在するのかを検知するためのセンサであり、検知した相対位置の情報を、協調制御部１１７に出力する。端末との相対位置が検知できる方法であればどのような方法でもよい。
【００３９】
端末情報取得部１１５は、放送受信用携帯端末装置１００固有の情報（以降、端末情報と記載する）を取得し、協調制御部１１７に出力する。固有情報としては、ディスプレイ１０９のサイズや明るさ、スピーカ１０４の出力音声チャンネル数や音量などのデバイス情報、音声設定情報、映像設定情報などの設定情報、放送データを受信してから、実際に映像、音声を出力するのに要する時間などの同期情報、使用者が現在のチャンネルをどのくらい視聴しているのか、また視聴している番組の放送時間など、視聴履歴情報などがある。
【００４０】
設定情報記録部１１６は、放送受信用携帯端末１００が接近時に、変更前の元のチャンネルや設定情報を協調制御部１１７が記録し、放送受信用携帯端末１００が離脱時に、協調制御部１１７が変更前の情報を読み出し再設定するためのメモリ等で構成された記憶装置である。
【００４１】
協調制御部１１７は、入力装置１１０より協調動作開始、終了の要求を受け付けるとともに、端末接近検知部１１２、移動量検知部１１３、端末間相対値検知部１１４、端末情報取得部１１５から入力される自端末から得られる情報と、チャンネル情報、協調情報、協調終了情報、端末情報、などの端末間通信処理部より受信した情報から、自端末の選局チャンネルと再生設定を判断し、受信処理部へその内容を設定する。また、必要に応じて、チャンネル情報、協調情報、協調終了情報、端末情報、などの情報を端末間通信処理部より送信する。また、放送受信用携帯端末１００が接近時に、変更前の元のチャンネルや設定情報を協調制御部１１７が記録し、放送受信用携帯端末１００が離脱時に、協調制御部１１７が変更前の情報の読み出し再設定を受信処理部に行う。
【００４２】
放送用アンテナ１１８は、放送受信用携帯端末１００間で通信を行う際に使用するアンテナである。
【００４３】
次に、本実施形態の放送受信用携帯端末装置１００における動作を説明する。図１に示す放送受信用携帯端末装置１００を用いて利用者が複数の端末を用いた視聴をしようとする場合には、端末間の距離に応じた協調制御部１１７の動作により、図２に示すような協調制御の処理が実行される。図２に示す処理について以下に説明する。
【００４４】
まず、ステップＳ１０１では、放送受信用携帯端末装置１００が、本発明の協調制御を行う設定であるか否かを判定する。協調制御設定である場合は、ステップＳ１０２に進む。協調制御設定でない場合は、協調制御を終了する。なお本設定は、利用者からの入力操作に従い入力装置１１０から設定の変更を行うことを想定しているが、他の方法により設定の変更を行ってもよい。
【００４５】
ステップＳ１０２では、端末接近検知部１１２が、他の放送受信用携帯端末装置１００が接近していないか検知を行う。
【００４６】
ステップＳ１０３では、ステップＳ１０２で行った他の放送受信用携帯端末装置１００が接近した位置に存在するか否かを判定する。端末が接近している場合はステップＳ１０４に進む。端末が接近していない場合はステップＳ１０１に戻る。
【００４７】
ステップＳ１０４では、移動量検知部１１３、端末間相対位置検知部１１４、端末情報取得部１１５のいずれかから得られる情報より、自端末がチャンネルを共有する側（以降「チャンネルか共有元」と記載する）、共有される側（以降「チャンネル共有先」と記載する）であるのかを判断する処理を行う。ステップＳ１０４の詳細な処理の説明は図３にて行う。
【００４８】
ステップＳ１０５では、自端末がチャンネル共有元であるか、チャンネル共有先であるか示すチャンネル共有情報を、他の放送受信用携帯端末装置１００に端末間通信処理部１１１を通じて送信するとともに、他の放送受信用携帯端末装置１００からのチャンネル共有情報の受信を行う。
【００４９】
ステップＳ１０６では、ステップＳ１０５で自端末のチャンネル共有情報と他端末より受信したチャンネル共有情報から、チャンネルの共有制御が可能であるか判定する。他端末からのチャンネル共有情報が受信できない（他端末がすべて協調制御設定でない）場合や、他端末と自端末のチャンネル共有情報がすべてチャンネル共有先（受信機の電源がすべてＯＦＦになっている）場合はチャンネル共有可能でないので、ステップＳ１０１に進む。上記以外の場合はチャンネル共有が可能であるのでステップＳ１０７に進む。
【００５０】
ステップＳ１０７では、協調制御終了後に現在の視聴設定に戻せるようにするために、現在の視聴設定内容を設定情報記録部１１６に記録する。記録する内容としては、視聴チャンネル、映像、音声に関する出力設定、画面レイアウト設定など、協調制御により変更される可能性のある項目の設定値を記録する。
【００５１】
ステップＳ１０８では、ステップＳ１０４のチャンネル共有判断に基づきチャンネル共有元であるか判定する。チャンネル共有元である場合はステップＳ１１０に進む。共有元でない場合はステップＳ１０９に進む。
【００５２】
ステップＳ１０９では、チャンネル共有先としてチャンネル共有元から受信した協調制御情報に従って、放送受信用携帯端末装置１００の番組のチャンネルや再生設定を変更する。協調制御情報とは、それぞれの端末が他の端末に協調して、制御を行うための、設定情報であり、端末ごとの、受信する放送チャンネル、音声チャンネル、音量、低音強調と言った音響効果設定などの音声出力に関する設定、映像表示領域、映像拡大縮小設定、明るさなどの映像効果設定などの映像出力に関する設定、同様にデータ放送出力に関する設定、番組情報表示に関する設定、それぞれのデータの出力タイミングなどの設定、映像、データ放送、番組情報の表示の有無、表示サイズ、表示倍率と表示位置を指定し、ディスプレイに表示する映像データのレイアウトを設定など、設定を合わせるために必要な項目の情報が含まれる。また、自端末の設定が変更になった場合はその内容を協調制御情報に含めて送信を行う。ステップ１０９の詳細な処理の説明は図７にて行う。
【００５３】
ステップＳ１１０では、チャンネル共有元として他の放送受信用携帯端末装置１００を含めた協調制御情報を作成し各端末に端末間通信処理部１１１を通じて送信するとともに自端末の協調制御を行う。またチャンネル共有先の端末より協調制御情報が送られてきた場合はそれに応じて再度の協調制御情報作成と送信、自端末の協調制御を行う。ステップＳ１１０の詳細な処理の説明は図４にて行う。
【００５４】
ステップＳ１１１では現在の視聴設定内容を設定情報記録部１１６に記録された、視聴チャンネル、映像、音声に関する出力設定、画面レイアウト設定など、協調制御により変更される可能性のある項目の設定値を読み出し、再度設定を行い、協調制御前の視聴設定に戻す。
【００５５】
図３はステップＳ１０４を詳細化した図であり、移動量検知部１１３、端末間相対位置検知部１１４、端末情報取得部１１５のいずれかから得られる情報より、自端末がチャンネルを共有する側（以降「チャンネルか共有元」と記載する）、共有される側（以降「チャンネル共有先」と記載する）であるのかを判断する処理を行う。図３に示す処理について以下に説明する。
【００５６】
ステップＳ２０１では、放送受信用携帯端末装置１００が放送を視聴しているか判定する。視聴中である場合、すなわち、チューナ部１０１が所定の放送チャンネルを受信している場合はステップＳ２０２に進む。視聴中でない場合、すなわちチューナ部１０１が放送の受信を行っていない場合は、ステップＳ２１２に進み、自端末を共有先とする。
【００５７】
ステップＳ２０２では、放送受信用携帯端末装置１００が移動量判定モードでチャンネル共有判断を行うか否かを判定する。移動量判断モードとは直近の端末移動量によってチャンネル共有判断を行うモードであり、使用者が事前に入力装置１１０を通じて設定する。移動量判断モードである場合はステップＳ２０３に進む。移動量判断モードでない場合はステップＳ２０６に進む。
【００５８】
ステップＳ２０３では、移動量検知部１１３より直近の放送受信用携帯端末装置１００の移動量を取得する。
【００５９】
ステップＳ２０４では、ステップＳ２０３で取得した移動量を端末間通信処理部１１１を通じて他の放送受信用携帯端末装置１００に送信すると同時に、他の放送受信用携帯端末装置１００から、チャンネル共有先の端末の移動量を受信する。
【００６０】
ステップＳ２０５では、ステップＳ２０３で取得した自端末の移動量と、ステップ２０４で取得した他端末の移動量とを比較し、自端末の移動量が多いか否かを判定する。なお、本明細では最も移動量の多い端末をチャンネル共有元と判定するように説明するが、端末の直近の移動量を用いて判定するのであれば、他の判断基準（例えば「直近の移動量が少ない」など）でもよい。移動量が多い場合はステップＳ２１２に進む。移動量が他端末と比べ最も少ない場合はステップＳ２１３に進む。
【００６１】
ステップＳ２０６では、放送受信用携帯端末装置１００が端末位置判断モードでチャンネル共有判断を行うか否かを判定する。端末位置判断モードとは、放送受信用携帯端末装置１００同士の上下、または左右などの相対的な位置関係を元にチャンネル共有判断を行うモードであり、使用者が事前に入力装置１１０を通じて設定する。相対位置判断モードである場合はステップＳ２０７に進む。相対位置判断モードでない場合は、視聴履歴判断モードとみなしステップＳ２０９に進む。
【００６２】
視聴履歴判断モードとは、視聴時間が最も長いチャンネルに共有するチャンネルを合わせる、または、視聴中の番組の終了時間が最も遅い番組に合わせるなどのように、視聴中の番組情報と視聴者の視聴履歴から、チャンネル共有判断を行うモードであり、使用者が事前に入力装置１１０を通じて設定する。なお、本明細では、ステップＳ２０２、ステップＳ２０６を用いて、移動量判断モード、端末位置判断モード、視聴履歴判断モードの順にモードを判断したが、どの順番で判断モードを判定してもよい。
【００６３】
ステップ２０７では、端末間相対位置検知部１１４により、放送受信用携帯端末装置１００同士の相対的な位置情報を取得する。
【００６４】
ステップ２０８では、ステップ２０７で取得した放送受信用携帯端末装置１００同士の相対的な位置情報を元に、自端末が他の端末よりあらかじめ決められた位置（例えば下や右）にあるか否かを判定する。なお、本明細では下にある端末を共有元と判定するように説明するが、相対的な端末同士の位置関係を用いて判定するのであれば他の判断基準（例えば右）でもよい。自端末の位置が最も下にある場合はステップＳ２１３に進む。自端末が最も下にない場合はステップＳ２１２に進む。
【００６５】
ステップＳ２０９では、端末情報取得部１１５より放送受信用携帯端末装置１００の視聴履歴、または番組情報を取得する。なお、端末情報取得部１１５より視聴履歴や、番組情報を取得するよう記載したが、受信処理部１０２より直接取得してもよい。
【００６６】
ステップＳ２１０では、ステップＳ２０９で取得した視聴履歴、または番組情報を端末間通信処理部１１１を通じて他の放送受信用携帯端末装置１００に送信すると同時に、他の放送受信用携帯端末装置１００から、他の端末の視聴履歴、または番組情報を受信する。
【００６７】
ステップＳ２１１では、ステップＳ２０９で取得した自端末の視聴履歴、または番組情報と、ステップ２１０で取得した他端末の視聴履歴、または番組情報とを比較し、自端末が他の端末よりあらかじめ決められた判断基準（「視聴時間が最も長い」や「視聴中の番組の終了時間が最も遅い」など）を満たすか否かを判定する。なお、本明細では視聴時間がもっと長いチャンネルの端末を共有元と判定するように説明するが、視聴履歴、または番組情報を用いて判定するのであれば、他の判断基準（例えば「視聴中の番組の終了時間が最も遅い」など）でもよい。視聴時間が他端末と比べ最も長い場合はステップＳ２１２に進む。視聴時間が他端末と比べ短い場合はステップＳ２１３に進む。
【００６８】
ステップＳ２１２では、各判断モードでチャンネル共有判断を行った結果、自端末をチャンネル共有先と判断する。
【００６９】
ステップＳ２１３では、各判断モードでチャンネル共有判断を行った結果、自端末をチャンネル共有元と判断する。
【００７０】
なお、本明細では、移動量、端末相対位置、視聴履歴をそれぞれのモードに分類してチャンネル共有判断を行ったが、移動量、端末相対位置、視聴履歴にそれぞれ重み付けを行い、それぞれのパラメータを加味して総合的な共有判断を行ってもよい。
【００７１】
図４はステップＳ１１０を詳細化した図であり、チャンネル共有元として他の放送受信用携帯端末装置１００を含めた協調制御情報を作成し各端末に端末間通信処理部１１１を通じて送信するとともに自端末の協調制御を行う。また他の端末より協調制御情報が送られてきた場合はそれに応じて再度の協調制御情報作成と送信、自端末の協調制御を行う。図４に示す処理について以下に説明する。
【００７２】
ステップＳ３０１では、チャンネル共有先の放送受信用携帯端末装置１００の端末情報を端末間通信処理部１１１により受信する。
【００７３】
ステップＳ３０２では、放送受信用携帯端末装置１００が、本発明の協調制御を行う設定であるか否かを判定する。協調制御設定である場合は、ステップＳ３０２に進む。協調制御設定でない場合は、Ｓ３１３に進む。
【００７４】
ステップＳ３０３では、端末接近検知部１１２と端末間相対位置検知部１１４より、他の端末の距離と相対的な位置を取得する。
【００７５】
ステップＳ３０４では、他の端末より協調情報を端末間通信処理部１１１により受信する、または入力装置１１０により自端末の音量や、視聴チャンネルなど放送コンテンツの再生に関する設定が変更になったか否かを判定する。他端末から協調情報を受信するということは供給先の端末にて視聴に関する設定が変更になった場合である。つまり、他の端末、または自身の端末のうちどれかに設定変更が行われた場合、再度、チャンネル共有元の放送受信用携帯端末装置１００にて協調情報を作成する必要があるため、他端末の協調情報を受信する、または自端末の設定に変更があった場合はステップＳ３０６に進む。全ての端末に設定変更がない場合、すなわち協調情報の受信が無く、自端末の設定に変更もない場合は、ステップＳ３０５に進む。
【００７６】
ステップＳ３０５では、ステップＳ３０３にて取得した端末同士の距離を、前回取得した距離と比較し、変更があるか否かを判定する。端末同士の距離に変更がある場合は、再度、協調情報を作成するため、ステップＳ３０６に進む。端末同士の距離に変更がない場合は、ステップＳ３０３に戻り、ステップＳ３０１からステップＳ３０５までの処理を繰り返す。
【００７７】
ステップＳ３０６では、ステップＳ３０３で取得した端末同士の距離を元に、自端末、つまりチャンネル共有元の端末が他端末とあらかじめ設定しておいた協調動作の範囲内にいるのか否かを判定する。協調動作の範囲内の距離に他の端末が存在すればステップＳ３０７に進む。協調動作の範囲内の距離に他の端末が存在しない場合は、Ｓ３１３に進み自端末の協調動作を終了し、図２のステップＳ１１１により、協調動作前の視聴状態に戻す。
【００７８】
ステップＳ３０７では、各端末の受信するチャンネル、また、出力映像の大きさや範囲などのレイアウト設定、また、出力するコンテンツ（例えば映像、データ放送、番組情報）、明るさといった映像設定など、画面出力に対する出力設定のための協調情報を作成する。ステップ３０７の詳細な処理の説明は図５にて行う。
【００７９】
ステップＳ３０８では、各端末の再生する音声チャンネルと、音量、音響効果など、音声出力に対する出力設定のための協調情報を作成する。ステップ１０９の詳細な処理の説明は図６にて行う。
【００８０】
ステップＳ３０９では、ステップＳ３０３で取得した端末間の相対的な位置情報と、ステップＳ３０７で作成した画面出力に関する協調情報を元に、協調情報の修正や、位置あわせガイド情報の作成を行う。各端末の画面出力に関する共闘情報と位置情報により、各端末間で画面の出力位置をずらして、映像の位置あわせが可能な場合は、各端末の出力位置をずらし、複数台で１つコンテンツの画面表示位置が合うように協調情報を修正する。各端末の出力表示位置の変更で対応ができない位置にある場合は、各端末に位置あわせようのグリッド線を出す、または上下左右などの矢印などで端末位置泡を誘導する情報を出力するように設定するなど、協調情報に位置あわせ情報を追記する。
【００８１】
ステップＳ３１０では、ステップＳ３０１で取得した他端末の端末情報と、端末情報取得部１１５より取得した自端末の端末情報より、各端末間の映像、音声の出力同期のタイミングを合わせるための、出力タイミング情報を共有情報に追記する。放送用受信携帯端末１００の仕様により、端末内の放送データのため込みバッファ量や、チューナ部１０１、音声処理部１０３や映像処理部１０５などの処理速度が異なり、同じ放送を受信した場合でも、異なる端末間で同時に再生されないことがある。ステップＳ３１０では、この出力タイミングのずれを合わせるため、最も遅い端末の映像、または音声の出力タイミングに合わせる、またはチャンネル共有元の出力タイミングに合わせるなどの情報を協調情報に追記する。なお、出力タイミングの合わせ方については、放送データに含まれる提示時刻情報（ＰＴＳ：Ｐｒｅｓｅｎｔａｔｉｏｎ  Ｔｉｍｅ  Ｓｔａｍｐ）や、システム基準時間（ＳＴＣ：Ｓｙｓｔｅｍ  Ｔｉｍｅ  Ｃｌｏｃｋ）などの、クロック情報を用いて端末間で高精度に出力タイミングを合わせるなどの方法でもよい。
【００８２】
ステップＳ３１１では、作成した協調情報を端末間通信処理部１１１より、他の端末に送信を行う。
【００８３】
ステップＳ３１２では、作成した協調情報を元に放送受信用携帯端末装置１００の設定を変更する。
【００８４】
ステップＳ３１３では、協調動作を終了することを示す協調終了情報を端末間通信処理部１１１より、チャンネル共有先に送信する。
【００８５】
図５はステップＳ３０７を詳細化した図であり、各端末の受信するチャンネル、また、出力映像の大きさや範囲などのレイアウト設定、また、出力するコンテンツ（例えば映像、データ放送、番組情報）、明るさといった映像設定など、画面出力に対する出力設定のための協調情報を作成する。図５に示す処理について以下に説明する。
【００８６】
図５はステップＳ３０７を詳細化した図であり、各端末の受信するチャンネル、また、出力映像の大きさや範囲などのレイアウト設定、また、出力するコンテンツ（例えば映像、データ放送、番組情報）、明るさといった映像設定など、画面出力に対する出力設定のための協調情報を作成する。図５に示す処理について以下に説明する。
【００８７】
ステップＳ４０１では、ステップＳ３０３で取得した端末の間の相対位置の情報よりディスプレイがある一定以上近接している、または接触している端末を探し、映像の表示サイズ比（例えば１６：９や４：３など）を変更することなく複数台の端末で１つの映像を表示できる領域とその端末を特定する。ここで探索した画面がチャンネル共有して表示するメインの表示画面となる。
【００８８】
ステップＳ４０２では、ステップＳ４０１で決定した複数の端末で構成する最大表示画面で１つの映像コンテンツを表示するために、該当端末の受信チャンネルを、共有するチャンネルに設定し、各端末で表示する映像の領域、拡大倍率、表示位置を端末ごとに設定するための情報を協調情報に記載する。
【００８９】
ステップＳ４０３では、ステップＳ４０１、ステップＳ４０２でメインの表示領域に設定されなかった表示空き端末があるか否かを判定する。表示空き端末が存在する場合にはＳ４０４に進み、その端末でデータ放送の表示を行うように設定する。表示空き端末が存在しない場合は画面出力決定処理を終了する。
【００９０】
ステップＳ４０４では、空き端末１台に対して共有するチャンネルのデータ放送を表示するように、該当端末に対して受信するチャンネルとデータ放送表示の設定を協調情報に対し追記する。
【００９１】
ステップＳ４０５では、ステップＳ４０４以降でさらに表示空き端末があるか否かを判定する。表示空き端末がある場合はＳ４０６に進み、番組情報を表示するように設定する。空き端末が存在しない場合は画面出力決定処理を終了する。
【００９２】
ステップＳ４０６では、表示空き端末１台に対して、電子番組表やその番組リストなど番組情報を用いた番組表示を行うように、該当端末に対して受信するチャンネルと番組情報表示の設定を協調情報に対し追記する。
【００９３】
ステップＳ４０７では、ステップＳ４０６以降でさらに表示空き端末があるか否かを判定する。表示空き端末がある場合はＳ４０８に進み他の放送チャンネルを受信し、再生するように設定する。空き端末が存在しない場合は画面出力決定処理を終了する。
【００９４】
ステップＳ４０８では、空き表示端末に他の放送チャンネルを受信し再生するように該当端末に対して受信するチャンネルと番組の再生の設定を協調情報に対し追記する。
【００９５】
ステップＳ４０９では、作成中の協調情報より、全ての受信可能放送チャンネルを全て表示したか否かを判定する。全ての受信可能放送チャンネルを全て表示した場合は、表示空き端末がある場合でも本実施例における全ての表示項目を表示し終わっているため、画面出力決定処理を終了する。まだ未表示の放送チャンネルがある場合は、ステップＳ４０７に戻り、他のチャンネルの表示を試みる。
【００９６】
本実施例にでは、メインの最大画角の映像、データ放送、番組情報、他のチャンネルの表示の順に、探索し設定を行ったが、順番や表示項目の有無に関して変更してもよい。また録画番組情報や、メール画面、待ち受け画面など他の表示項目を空き端末に表示するようにしてもよい。
【００９７】
図６はステップＳ３０８を詳細化した図であり、各端末の再生する音声チャンネルと、音量、音響効果など、音声出力に対する出力設定のための協調情報を作成する。ここでは、放送される音声が５．１チャンネルの場合を想定して説明するが、チャンネル数や端末仕様に合わせて、再生チャンネルを増減してもよい。図６の各ステップにおいて、使用する端末間の相対的な位置情報は、ステップＳ３０３で取得した位置情報を使用する。図６に示す処理について以下に説明する。
【００９８】
ステップＳ５０１では、共有チャンネルを受信する端末の中で最も右端の端末で音声チャンネルのＲ（右チャンネル）を出力するように、該当端末に対して右チャンネルの音声再生の設定を協調情報に対し追記する。本実施例では最も右端の端末を右チャンネルに設定したが、利用者の位置などを考慮し他の方法を用いて右チャンネルを決定してもよい。
【００９９】
ステップＳ５０２では、共有チャンネルを受信する端末の中で最も左端の端末で音声チャンネルのＬ（左チャンネル）を出力するように、該当端末に対して左チャンネルの音声再生の設定を協調情報に対し追記する。本実施例では最も左端の端末を左チャンネルにし設定したが、利用者の位置などを考慮し他の方法を用いて左チャンネルを決定してもよい。
【０１００】
ステップＳ５０３では、ステップＳ５０１とステップＳ５０２とで決定した左右の音声チャンネルを再生する端末の間に端末があるか否かを判定する。端末が存在する場合は、該当端末を音声の前方中央の音声チャンネルに割り当てるため、ステップＳ５０４に進む。端末が存在しない場合は、ステップＳ５０５に進む。放送されている音源が前方中央の音声チャンネルを必要とせず、端末の音声処理としても前方中央の音声チャンネルを必要としない場合はステップＳ５０３とステップＳ５０４は省略される。
【０１０１】
ステップＳ５０４では、ステップＳ５０３で調査した左右の音声チャンネルを再生する端末の間に存在する端末のうち、左右の端末の間の中心に最も近い端末を前方中央の音声チャンネルとして出力するように、該当端末に対して前方中央のチャンネルの音声再生の設定を協調情報に対し追記する。本実施例では最も中央の端末を前方中央チャンネルに設定したが、利用者の位置などを考慮し他の方法を用いて前方チャンネルを決定してもよい。
【０１０２】
ステップＳ５０５では、表示画面から向かって後ろに端末が存在するか否かを判定する。端末が存在する場合は後方音声チャンネルの出力を行うよう設定するためステップＳ５０６に進む。後方に端末が存在しない場合は、ステップＳ５０７に進む。なお、放送されている音源が後方の音声チャンネルを必要とせず、端末の音声処理としても後方の音声チャンネルを必要としない場合はステップＳ５０５とステップＳ５０６は省略される。
【０１０３】
ステップＳ５０６では、ステップ５０５で調査した後方の端末に対して後方の音声チャンネルを割り当てるように設定を行うため、後方の最も左側に位置する端末に後方の左チャンネルを、後方のもっとも右側に位置する端末に後方右チャンネルを出力するように、該当端末に対して音声再生の設定を協調情報に対し追記する。本実施例では後方にある端末のうち最も左右に位置する端末に後方左右の音声チャンネルを設定したが、利用者の位置などを考慮し他の方法を用いて後方チャンネルを決定してもよい。
【０１０４】
ステップＳ５０７では、全ての端末の音量設定、音響効果に関連する設定を協調情報に対し追記する。ステップＳ５０１からステップＳ５０６までの処理で音声チャンネルが割り当てられた端末では、共有元と同一の音量、音響になるように共有情報に設定を追記する。その他音声チャンネルが割り当てられなかった端末には消音の設定を行う。なお、本実施例では音量や音響設定を均一に行ったが、再生チャンネルごと音量や音響効果を変更してもよい。
【０１０５】
図７はステップＳ１０９を詳細化した図であり、チャンネル共有先としてチャンネル共有元から受信した協調制御情報に従って、放送受信用携帯端末装置１００の番組のチャンネルや再生設定を変更する。協調制御情報とは、それぞれの端末が他の端末に協調して、制御を行うための、設定情報であり、端末ごとの、受信する放送チャンネル、音声チャンネル、音量、低音強調と言った音響効果設定などの音声出力に関する設定、映像表示領域、映像拡大縮小設定、明るさなどの映像効果設定などの映像出力に関する設定、同様にデータ放送出力に関する設定、番組情報表示に関する設定、それぞれのデータの出力タイミングなどの設定、映像、データ放送、番組情報の表示の有無、表示サイズ、表示倍率と表示位置を指定し、ディスプレイに表示する映像データのレイアウトを設定など、設定を合わせるために必要な項目の情報が含まれる。また、自端末の設定が変更になった場合はその内容を協調制御情報に含めて送信を行う。図７に示す処理について以下に説明する。
【０１０６】
ステップＳ６０１では、端末情報をチャンネル共有元に、端末通信処理部１１１を介して送信する。
【０１０７】
ステップＳ６０２では、放送受信用携帯端末装置１００が、本発明の協調制御を行う設定であるか否かを判定する。協調制御設定である場合は、ステップＳ６０３に進む。協調制御設定でない場合は、Ｓ６０８に進む。
【０１０８】
ステップＳ６０３では、協調動作を終了することを示す協調終了情報をチャンネル共有先の端末より受信したか否かを判定する。協調終了情報を受信した場合は、共有先協調処理を終了する。協調情報を受信していない場合はステップＳ６０４に進む。
【０１０９】
ステップＳ６０４では、協調情報をチャンネル共有先の端末より受信したか否かを判定する。協調情報を受信した場合は、受信した協調情報の内容に従って端末設定を変更するため、ステップＳ６０５に進む。協調情報を受信していない場合はステップＳ６０６に進む。
【０１１０】
ステップＳ６０５では、ステップＳ６０４で受信した協調情報の内容に従って端末設定を変更する。
【０１１１】
ステップＳ６０６では、入力装置１１０より自端末の音量や、視聴チャンネルなど放送コンテンツの再生に関する設定が変更になったか否かを判定する。設定変更が行われた場合、再度、チャンネル共有元の放送受信用携帯端末装置１００にて協調情報を作成する必要があり協調情報をチャンネル共有元の端末に送信するため、自端末の設定に変更があった場合はステップＳ６０７に進む。自端末の設定に変更もない場合は、ステップＳ６０２に戻る。
【０１１２】
ステップＳ６０７では、自端末の設定変更の内容を協調情報として端末間通信処理部１１１より、チャンネル共有元に送信する。
【０１１３】
ステップＳ６０８では、協調動作を終了することを示す協調終了情報を端末間通信処理部１１１より、チャンネル共有元に送信する。
【０１１４】
図９は、本実施形態における、２台の放送受信用携帯端末装置１０を接近させた場合の動作例の概略図である。図９について以下に説明する。
【０１１５】
放送受信用携帯端末１００aは「チャンネルＡ」を受信しており、放送映像、音声（右チャンネル、左チャンネル）、データ放送を再生しており、協調制御設定がなされているものとする。
【０１１６】
シーン１では、放送受信用携帯端末１００ｂは放送、放送受信を行っておらず（この場合は放送受信機の電源がＯＦＦにしてある）、映像、音声、データ放送の再生は行われていないが、協調制御設定がなされているものとする。
【０１１７】
シーン２は放送受信用携帯端末１００ｂを放送受信用携帯端末１００aに接近させた場合を示しており、ステップＳ１０２により、端末接近が検知され、協調動作が開始される。この場合、放送受信用携帯端末１００ｂは放送を受信していないため、ステップ１０４にて、放送受信用携帯端末１００aがチャンネル共有元、放送受信用携帯端末１００ｂがチャンネル共有先と判断される。ステップＳ１０５により放送受信用携帯端末１００aと放送受信用携帯端末１００ｂ間でチャンネル共有情報が通信され、ステップＳ１０８で共有制御可能とそれぞれの端末で判断される。Ｓ１０７にてそれぞれの端末で、現在の視聴状態を設定情報記録部１１６に記録する。
【０１１８】
放送受信用携帯端末１００ｂはチャンネル共有先としてステップＳ１０９を行い、放送受信用携帯端末１００aに端末情報を送信し、放送受信用携帯端末１００aからの協調情報の受信を待ち、受信後に協調情報に従って端末の設定を行う。この例では、チャンネルＡを選局し、ディスプレイ１０９にチャンネルＡの映像の右半分を全画面表示し、音声は右チャンネルを、音量を合わせた上で出力する。
【０１１９】
放送受信用携帯端末１００aはチャンネル共有元としてＳ１１０の処理を行い、放送受信用携帯端末１００ｂからの端末情報受信後に、協調情報を作成し、作成した協調情報を放送受信用携帯端末１００ｂとともに、自端末の設定を行う。この例ではチャンネルＡを選局したまま、ディスプレイ１０９にチャンネルＡの映像の左半分を全画面表示し、音声は左チャンネルを出力する。
【０１２０】
シーン３では、シーン２の状態から放送受信用携帯端末１００ｂを協調制御の範囲内で遠ざけた場合を示しており、チャンネル共有元である放送受信用携帯端末１００aがステップＳ３０３により、放送受信用携帯端末１００ｂが移動したことを検知し、再度、協調情報を作成し、放送受信用携帯端末１００ｂに協調情報を送信した後、自端末の設定を変更する。
【０１２１】
放送受信用携帯端末１００ｂは、この例では、チャンネルＡを選局したまま、ディスプレイ１０９にチャンネルＡの映像を通常視聴状態で表示し、データ放送も通常の状態で表示を行う。また、視聴音声は右チャンネルを出力させたままにする。
【０１２２】
放送受信用携帯端末１００ａは、この例では、チャンネルＡを選局したまま、ディスプレイ１０９にチャンネルＡの映像を通常視聴状態で表示し、データ放送も通常の状態で表示を行う。また、視聴音声は左チャンネルを出力させたままにする。
【０１２３】
シーン４では、シーン３の状態から放送受信用携帯端末１００ｂを協調制御の範囲で遠ざけた場合を示しており、チャンネル共有元である放送受信用携帯端末１００aがステップＳ３０３により、放送受信用携帯端末１００ｂが移動したことを検知し、ステップＳ３０６より、協調動作の対象外に放送受信用携帯端末１００ｂが移動したと判断し、ステップＳ３１３で協調終了情報を放送受信用携帯端末１００ｂに送信し、互いの協調制御を終了する。
【０１２４】
それぞれの端末でステップＳ１１１により、協調動作開始前の状態に設定を戻され、シーン１と同様の初期状態に戻る。
【０１２５】
シーン２、３のように協調動作が行われている場合は、放送受信用携帯端末１００a、放送受信用携帯端末１００ｂいずれかの端末で受信チャンネルの変更や、音量の変更など、受信機の設定が変更になった場合、チャンネル共有元である放送受信用携帯端末１００aにより、再度協調情報が作成され、全ての端末にチャンネル情報の変更や音量変更といった受信機の設定が反映される。
【０１２６】
図１０は、本実施形態における、複数台の放送受信用携帯端末装置１００を接近させた場合の動作例の概略図である。この例では音源が５．１ｃｈに対応していないステレオで、疑似５．１ｃｈなどの音声再生機能が放送受信用携帯端末装置１００に備わっていないとする。図１０について以下に説明する。
【０１２７】
シーン１は、協調動作前の初期状態を示しており、１００ｃ、１００ｄ、１００e、１００ｆ、１００ｇの５台の放送受信用携帯端末装置でそれぞれ図に示すように、１００ｄはチャンネルＢを、それ以外の端末ではチャンネルＡを視聴している。また、１００ｆ端末の向きが逆向きとなっており、１００ｇは横画面表示となっている。
【０１２８】
シーン２は、シーン１の状態より全ての端末を１００ｅに近づけた場合の動作例を示しており、１００ｅがチャンネル共有元となり、その他の端末がチャンネル共有先の端末となり協調制御を行う。１００ｅで、共有元協調処理が行われ、ステップＳ３０７で画面出力決定より、１００ｅと１００ｆとが最大画角のメインディスプレイに割り当てられた場合を示している。
【０１２９】
ステップＳ３０７では、ステップＳ４０１とステップＳ４０２により１００ｅをチャンネルＡの左側の映像を表示、１００ｆでチャンネルＡの右側を表示するように画面割り当てをおこなう。ここで端末の向きを考慮し１００ｆでは映像の表示向きを１００ｇに合わせるように回転させる。次にステップＳ４０４により１００ｄがデータ放送の表示に、ステップＳ４０６により１００ｇが番組表示に、ステップＳ４０８により１００ｃが他のチャンネル（この例ではチャンネルＢ）の通常視聴に割り当てられる。
【０１３０】
ステップＳ３０８では、ステップＳ５０１により１００ｇが音声右チャンネルの再生を、ステップＳ５０２により１００ｄが音声左チャンネルの再生を行うように割り当てられる。ステップＳ５０７により、その他の端末、１００ｃ、１００ｅ、１００ｆは音声再生を行わない消音状態に設定される。
【０１３１】
なお、シーン２の状態で、いずれかの端末を移動させた場合は図９で説明した動作と同様に距離に応じて、協調制御の内容が変更される。
【０１３２】
なお、シーン２の状態で、いずれかの端末の設定を変更した場合、図９で説明した動作と同様に各端末にその設定が反映される。
【０１３３】
以上のように、本実施形態によれば、放送受信機能を備えた携帯電話端末、携帯型情報端末、モバイルＰＣ、車載受信装置、ポータブル受信装置などに適用することにより、それぞれの端末を接近させることで、複数の放送受信用携帯端末装置で1つのコンテンツを再生するための設定を瞬間的に行うことが可能な放送受信用携帯端末装置を提供できる。
【０１３４】
（第２の実施形態）
第１の実施形態では、複数端末で１つのコンテンツを再生するための実施形態を示した。本実施形態では、複数端末で１つのコンテンツの再生を行うのでなく、複数台の端末でチャンネルの共有のみ行う実施形態の例を示す。なお、実施形態１と同様に、放送受信用携帯端末装置の例として、地上デジタルテレビや地上デジタルラジオなどのデジタル放送を受信する機能を備えた携帯電話端末に本発明を適用する場合を想定して説明する。勿論、携帯電話端末以外にも、携帯型情報端末（ＰＤＡ）や、携帯可能なパソコンや、車載端末などに本発明を適用することが想定できる。また、デジタル放送以外のアナログ放送、またはインターネットなどを用いたストリーミング放送などを受信する機器にも本発明を適応することが想定できる。
【０１３５】
本実施形態においては、図１、図３、図８を用いて説明する。第１の実施形態では、図１の協調制御部１１７の具体的な処理内容として、図２の協調制御処理が行われた。本実施例では協調制御部１１７の処理を図８に示すチャンネル共有処理に置き換えることで実現する。それ以外の図１、図３の構成、処理内容については実施形態１の場合と同様の構成で同様の処理を行う。よって本実施例では図８の説明のみを行い、図１、図３の説明を省略する。
【０１３６】
本実施形態の放送受信用携帯端末装置１００における動作を説明する。図１に示す放送受信用携帯端末装置１００を用いて利用者がチャンネル共有しようとする場合には、端末間の距離に応じた協調制御部１１７の動作により、図８に示すようなチャンネル共有制御の処理が実行される。図８に示す処理について以下に説明する。
【０１３７】
ステップＳ７０１では、放送受信用携帯端末装置１００が、本発明の協調制御を行う設定であるか否かを判定する。協調制御設定である場合は、ステップＳ７０２に進む。協調制御設定でない場合は、チャンネル共有制御を終了する。なお本設定は、利用者からの入力操作に従い入力装置１１０から設定の変更を行うことを想定しているが、他の方法により設定の変更を行ってもよい。
【０１３８】
ステップＳ７０２では、端末接近検知部１１２が、チャンネル共有を行っていない他の放送受信用携帯端末装置１００が接近していないか検知を行う。
【０１３９】
ステップＳ７０３では、ステップＳ７０２で行ったチャンネル共有を行っていない他の放送受信用携帯端末装置１００が接近した位置に存在するか否かを判定する。この実施形態の例では無限にチャンネル情報の送受信が繰り返されないようにするために、一度チャンネル情報を送受信し合った端末同士が、チャンネル共有の範囲内にいる場合はチャンネル共有対象から外し、次のステップに進まないようにする。また一度チャンネル共有を行った端末間でも、チャンネル共有の範囲外に移動した場合は、チャンネル共有対象と見なす。チャンネル共有対象の端末が接近している場合はステップＳ７０４に進む。チャンネル共有対象の端末が接近していない場合はステップＳ７０１戻る。
【０１４０】
ステップＳ７０４では、移動量検知部１１３、端末間相対位置検知部１１４、端末情報取得部１１５のいずれかから得られる情報より、自端末がチャンネルを共有する側（以降「チャンネル共有元」と記載する）、共有される側（以降「チャンネル共有先」と記載する）であるのかを判断する処理を行う。ステップＳ７０４の詳細な処理は第１の実施形態で説明した図３の処理と同様である。
【０１４１】
ステップＳ７０５では、ステップＳ１０４のチャンネル共有判断に基づきチャンネル共有元であるか判定する。チャンネル共有元である場合はステップＳ７０６に進む。共有元でない場合はチャンネル共有先の処理を行うため、ステップＳ７０７に進む。
【０１４２】
ステップＳ７０６では、チャンネル共有側として、チャンネル共有先に共有する放送チャンネル情報を端末間通信処理部１１１より送信し、ステップＳ７０１に戻る。
【０１４３】
ステップＳ７０７では、チャンネル共有先からのチャンネル情報の受信ができたか否かを判定する。端末間通信処理部１１１より、チャンネル情報の受信を待ち、一定時間内にチャンネル情報を受信できた場合はステップＳ７０８に進む。一定時間内にチャンネル情報を受信できなかった場合は、ステップＳ７０１に戻り、チャンネル共有処理からやり直す。
【０１４４】
ステップＳ７０８では、放送受信用携帯端末装置１００の放送受信の機能が動作状態になっているか否かを判定する。放送受信機の機能が動作状態になっている場合はステップＳ７１０に進む。放送受信機の機能が動作状態になっていない場合はステップＳ７０９に進み、放送受信の機能を動作状態にする。
【０１４５】
ステップＳ７０９では、放送受信用携帯端末装置１００の放送受信機の電源を入れる、または放送受信機の機能を動作状態にする。
【０１４６】
ステップＳ７１０では、ステップＳ７０７で受信した放送チャンネルを選局し、放送コンテンツの再生を開始する。
【０１４７】
なお、本実施例でも、端末仕様に応じて、移動量検知部１１３、端末間相対位置検知部１１４、端末情報取得部１１５、設定情報記録部１１６、データ放送処理部１０６、番組情報処理部１０７などの構成を省略してもよい。
【０１４８】
なお、本実施例ではチャンネル共有の範囲外に端末が移動した場合でも、共有したチャンネルを保持するように記載したが、端末仕様により、実施形態１で示したように、一定の距離を離すと元のチャンネルに戻してもよい。
【０１４９】
なお、本実施例ではチャンネル情報の共有を例に行ったが、同時に音響設定やディスプレイの設定、表示レイアウトの設定等他の情報も共有してよい。
【０１５０】
以上のように、本実施形態によれば、放送受信機能を備えた携帯電話端末、携帯型情報端末、モバイルＰＣ、車載受信装置、ポータブル受信装置などに適用することにより、それぞれの端末を接近させることで、チャンネル情報を使用者が知らなくても、視聴中のチャンネルを他の端末で容易に瞬間的に再生するに行うことが可能な放送受信用携帯端末装置を提供できる。
【０１５１】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【０１５２】
本発明は、チャンネル情報や各種設定情報の共有を容易にするとともに、複数台で１つのコンテンツとして放送の再生を行うことを容易にし、直感的な端末間連係制御が可能となる効果を有し、放送波を受信して放送波に含まれる番組コンテンツの再生を行う機能を備えた放送受信装置等に有用である。
【図面の簡単な説明】
【０１５３】
【図１】本発明の実施形態の放送受信用携帯端末装置の構成例を示すブロック図
【図２】本発明の実施形態の放送受信用携帯端末装置における端末協調モード時の処理の内容を示すフローチャート
【図３】本発明の実施形態の放送受信用携帯端末装置における共有チャンネル決定処理の内容を示すフローチャート
【図４】本発明の実施形態の放送受信用携帯端末装置における共有元協調処理の内容を示すフローチャート
【図５】本発明の実施形態の放送受信用携帯端末装置における画面出力決定処理の内容を示すフローチャート
【図６】本発明の実施形態の放送受信用携帯端末装置における音声出力決定処理の内容を示すフローチャート
【図７】本発明の実施形態の放送受信用携帯端末装置における共有先協調処理の内容を示すフローチャート
【図８】本発明の実施形態の放送受信用携帯端末装置におけるチャネル共有モード時の処理の内容を示すフローチャート
【図９】本発明の実施形態の放送受信用携帯端末装置における２台での端末協調制御の内容を示す概略図
【図１０】本発明の実施形態の放送受信用携帯端末装置における複数台での端末協調制御の内容を示す概略図
【符号の説明】
【０１５４】
１００  放送受信用携帯端末装置
１０１  チューナ部
１０２  受信処理部
１０３  音声処理部
１０４  スピーカ
１０５  映像処理部
１０６  データ放送処理部
１０７  番組情報処理部
１０８  提示処理部
１０９  ディスプレイ
１１１  端末間通信処理部
１１２  端末接近検知部
１１３  移動速度検知部
１１４  端末間相対位置検知部
１１５  端末情報取得部
１１６  設定情報記録部
１１７  協調制御部
【図１】
2009278239.tif 000003
【図２】
2009278239.tif 000004
【図３】
2009278239.tif 000005
【図４】
2009278239.tif 000006
【図５】
2009278239.tif 000007
【図６】
2009278239.tif 000008
【図７】
2009278239.tif 000009
【図８】
2009278239.tif 000010
【図１０】
2009278239.tif 000011
【図９】
2009278239.tif 000012